(57)【特許請求の範囲】
【請求項１】
一体成形された長尺な外壁用役物であって、
長尺で略矩形状な表面化粧部と、この表面化粧部の短手方向の両端部から裏面側へ延びる折り返し片と、この折り返し片の端部から突出する脚部と、前記表面化粧部の長手方向の一端から裏面側へ折り曲げられた折り曲げ部と、他端から突出する連結片とを有し、
前記折り返し片の長手方向の一端には、短手方向の中央付近を切欠いた切欠部が設けられ、この切欠部の両側には、短手方向に対向する一対の係止部が設けられ、前記折り曲げ部は、前記折り返し片の前記切欠部と相補的な形状を有するとともに、前記係止部と外壁用役物の厚さ方向に重なり合うことなく、対向する前記係止部の間で前記表面化粧部の裏面側と重ねられ、
外壁用役物の厚さ方向における前記係止部より内側の空間であって、外壁用役物の厚さ方向における前記折り曲げ部の裏面の位置より係止部側には、前記連結片を挿入可能な連結用隙間が形成され、
隣接する２つの外壁用役物は、一方の外壁用役物の前記連結用隙間に、他方の外壁用役物の前記連結片が挿入されると、前記他方の外壁用役物の前記連結片の表面部が前記一方の外壁用役物の前記折り曲げ部と当接し、かつ、前記他方の外壁用役物の前記連結片の裏面部の幅方向の両端が前記一方の外壁用役物の前記係止部と当接して、連結されることを特徴とする外壁用役物。
【請求項２】
前記切欠部は、前記折り返し片の長手方向の中央側から端部側へ向かって切欠幅が大きくなっていることを特徴とする請求項１に記載の外壁用役物。
【発明の詳細な説明】
【技術分野】
【０００１】
本発明は、外壁用役物に関する。さらに詳しくは、建物の外壁材の間の目地に取り付けられる役物に関する。
【背景技術】
【０００２】
外壁下地には、金属サイディング等の外壁材が連続して組み付けられている。そして、従来より、隣接する外壁材同士の間の目地に取り付けるための様々な外壁用役物が提案されている。
【０００３】
このような外壁用役物としては、例えば、特許文献１に記載されたものが知られている。  図１０（Ａ）は、特許文献１の外壁用役物の裏面側斜視図であり、図１０（Ｂ）は、（Ａ）に示した外壁用役物の連結状態を例示した裏面側斜視図である。また、図１１は、図１０（Ｂ）における連結部の断面図である。
【０００４】
特許文献１の外壁用役物は、基材８０と、この基材８０の表面部分を被覆する被覆材９０を備えている。被覆材９０は基材８０よりも幅広かつ長尺で、その幅方向両端部分が折り曲げられて折り曲げ端部９１が形成されている。この折り曲げ端部９１と幅方向中央部９２で基材８０の幅方向両端部分を挟持することで基材８０に被覆材９０が固定されている。そして、被覆材９０の長手方向一端９２a部分が基材８０の長手方向一端面８０ａより突出して折り曲げ端部９１と幅方向中央部９２で連結用隙間９３を有する挿入部９４を形成している。被覆材９０の長手方向他端部には、基材８０の長手方向他端面８０ｂより突出し連結用隙間９３に挿入される連結片９５を有している。一方の外壁用役物の連結片９５を他方の外壁用役物の挿入部９４の連結用隙間９３に挿入することで、一方の外壁用役物と他方の外壁用役物とを連結している。
【先行技術文献】
【特許文献】
【０００５】
【特許文献１】特開2004−150254号公報
【発明の概要】
【発明が解決しようとする課題】
【０００６】
しかしながら、特許文献１の外壁用役物では、基材８０と被覆材９０とが別体であり、基材８０と被覆材９０とを一体成形することについての検討はなされていない。外壁用役物の製造コスト、加工の手間を低減するためには、外壁用役物は、全体が一体成形されたものであることが好ましい。
【０００７】
また、外壁用役物を一体成形する場合には、長手方向の一端において、連結片９５を挿入容易とするための挿入部９４の工夫が必要とされる。
【０００８】
さらに、特許文献１では、図１０および図１１に示したように、被覆材９０の長手方向一端部分９２aが基材８０の長手方向一端面８０ａより突出し、かつ折り返されている。したがって、被覆材９０の長手方向の端部では、長手方向一端部分９２aと幅方向両端部分の折り曲げ端部９１とが重なる部分では金属板が３枚重ねになっている。この場合、外壁用役物同士の連結部付近において、金属板の厚みによって外壁用役物が浮き上がってしまうことがあり、施工後の見栄えが悪くなるという問題がある。
【０００９】
本発明は、以上のとおりの事情に鑑みてなされたものであり、一体成形された外壁用役物であって、施工後の外壁用役物同士の連結部の浮き上がりを抑制することができる外壁用役物を提供することを課題としている。
【課題を解決するための手段】
【００１０】
上記の課題を解決するために、本発明の外壁用役物は、一体成形された長尺な外壁用役物であって、長尺で略矩形状な表面化粧部と、この表面化粧部の短手方向の両端部から裏面側へ延びる折り返し片と、この折り返し片の端部から突出する脚部と、前記表面化粧部の長手方向の一端から裏面側へ折り曲げられた折り曲げ部と、他端から突出する連結片とを有し、前記折り返し片の長手方向の一端には、短手方向の中央付近を切欠いた切欠部が設けられ、この切欠部の両側には、短手方向に対向する一対の係止部が設けられ、前記折り曲げ部は、前記折り返し片の前記切欠部と相補的な形状を有するとともに、前記係止部と外壁用役物の厚さ方向に重なり合うことなく、対向する前記係止部の間で前記表面化粧部の裏面側と重ねられ、外壁用役物の厚さ方向における前記係止部より内側の空間であって、外壁用役物の厚さ方向における前記折り曲げ部の裏面の位置より係止部側には、前記連結片を挿入可能な連結用隙間が形成され、隣接する２つの外壁用役物は、一方の外壁用役物の前記連結用隙間に、他方の外壁用役物の前記連結片が挿入されると、前記他方の外壁用役物の前記連結片の表面部が前記一方の外壁用役物の前記折り曲げ部と当接し、かつ、前記他方の外壁用役物の前記連結片の裏面部の幅方向の両端が前記一方の外壁用役物の前記係止部と当接して、連結されることを特徴とする外壁用役物。
【００１１】
この外壁用役物においては、前記切欠部は、前記折り返し片の長手方向の中央側から端部側へ向かって切欠幅が大きくなっていることが好ましい。
【発明の効果】
【００１２】
本発明の外壁用役物によれば、施工後の外壁用役物同士の連結部の浮き上がりを抑制することができる。
【図面の簡単な説明】
【００１３】
【図１】本発明の外壁用役物の一実施形態を例示した裏面斜視図である。
【図２】図１の外壁用役物の折り曲げ部の折り曲げ前の状態を例示した裏面斜視図およびＮ部の拡大正面図である。
【図３】図１の矢印Ａ方向から見た側面図である。
【図４】図１のＢ−Ｂ’矢視断面図である
【図５】図１のＣ−Ｃ’矢視断面図である。
【図６】本発明の外壁用役物を２つ連結した状態を例示した裏面斜視図である。
【図７】図６のＤ−Ｄ’矢視断面図である。
【図８】本発明の外壁用役物の別の実施形態を例示した裏面斜視図である。
【図９】本発明の外壁用役物を隣接する外壁材の間の目地に取り付けた状態を例示した断面概要図である。
【図１０】（Ａ）は、特許文献１の外壁用役物の裏面側斜視図であり、（Ｂ）は、図１０（Ａ）に示した外壁用役物の連結状態を例示した裏面側斜視図である。
【図１１】特許文献１の外壁用役物の連結部の断面図である。
【発明を実施するための形態】
【００１４】
図１は、本発明の外壁用役物の一実施形態を例示した裏面斜視図である。
【００１５】
外壁用役物Ｓは、表面化粧部１と、折り返し片２と、脚部３と、折り曲げ部４と、係止部２３と、連結片５とを有する長尺な部材である。外壁用役物Ｓは、例えば、金属板を折り曲げ加工等することによって一体に成形されており、短手方向の中央を中心として略左右対称な形状に設計されている。
【００１６】
表面化粧部１は、長尺で略矩形状に形成されている。表面化粧部１には、長手方向に溝部Ｘ１と柄部Ｙ１が交互に連続配置されている。柄部Ｙ１は膨出しており、表面化粧部１は、長手方向に連続する波状の凹凸柄が付与されている。
【００１７】
表面化粧部１の短手方向の両端部１aからは、表面化粧部１の裏面に沿って短手方向の中央側へ折り返し片２が延びている。折り返し片２も表面化粧部１の凹凸柄に追従して波打っており、表面化粧部１の溝部Ｘ１に対応する位置に隆起部２１が形成されている。
【００１８】
短手方向の中央側の折り返し片２の端部２２からは、表面化粧部１の裏面から離れる方向へ一対の脚部３が突出している。脚部３の先端には、外側へ折り曲げられた嵌合片３１が設けられている。脚部３は、表面化粧部１の短手方向の端部１a側に屈曲しており、対向する脚部３は、表面化粧部１の裏面から離れるに従って互いに離反する形状に形成されている。脚部３は、外側からの力に対して変形し、反発する弾性力を有している。脚部３の先端の嵌合片３１は、後述するベース材と嵌合可能に形成されている。
【００１９】
表面化粧部１の対向する長手方向の一端には、折り曲げ部４が設けられている。また、折り曲げ部４と対向する他端には、連結片５が設けられている。
【００２０】
図２は、図１の外壁用役物の折り曲げ部の折り曲げ前の状態を例示した裏面斜視図およびＮ部の拡大正面図である。図３は、図１の矢印Ａ方向から見た側面図である。図４は、図１のＢ−Ｂ’矢視断面図である。
【００２１】
折り返し片２の長手方向の一端には、短手方向の中央付近を切欠いた切欠部Ｖが設けられている。切欠部Ｖは、短手方向の中央で分離している折り返し片２の各々に設けられた切欠部Ｖ１、Ｖ２を含んでいる。切欠部Ｖは、折り返し片２の長手方向の中央側から端部側へ向かって切欠幅（折り返し片２の短手方向の切欠長さ）が広がっている。折り返し片２の長手方向の端部は、切欠部Ｖによって、短手方向と略平行な第１の切込端縁２aと、第１の切込端縁２aから長手方向へ斜めに延びる第２の切込端縁２bとが形成されている。切欠部Ｖの両側（短手方向側）には、短手方向に対向する一対の係止部２３が設けられている。係止部２３は、第２の切込端縁２bから表面化粧部１の短手方向の端部１aまでの領域として形成されている。係止部２３は、長手方向の端部側へ向かって幅が狭くなっている。
【００２２】
係止部２３が設けられている側の表面化粧部１の長手方向の端部１bには、表面化粧部１から延びる折り曲げ部４が設けられている。表面化粧部１と折り曲げ部４の間には、短手方向の両端部から内側へ一段下がる段部Ｇが設けられている。
【００２３】
折り曲げ部４は、折り返し片２の切欠部Ｖと相補的な形状に形成されている。具体的には、折り曲げ部４は、短手方向に幅広であり、幅方向の両側が内側へ斜めにカットされた略台形状とされている。折り曲げ部４の外縁は、表面化粧部１の短手方向と略平行な先端縁部４aと、この先端縁部４aの両側から段部Ｇへと向かう傾斜縁部４bとによって形成されている。  
【００２４】
図２のＮ部の拡大正面図に例示したように、両側の段部Ｇを結ぶ直線Ｐから折り曲げ部４の傾斜縁部４bまでの傾斜角度θ１は、直線Ｐから係止部２３の第２の切込端縁２bまでの傾斜角度θ２と略等しく形成されている。また、直線Ｐから折り曲げ部４の先端縁部４aまでの長さＬ１は、直線Ｐから折り返し片２の第１の切込端縁２aまでの長さＬ２よりわずかに短く形成されている。さらに、折り曲げ部４の先端縁部４aの幅Ｗ１は、第１の切込端縁２aと第２の切込端縁２bが接続する両側の屈曲点Ｔ１、Ｔ２の間の幅Ｗ２と略等しく形成されている。
【００２５】
したがって、図２中の矢印Ｒに示すように、折り曲げ部４を両側の段部Ｇを結ぶ直線Ｐを折り目として裏面側へ折り曲げると、折り曲げ部４は切欠部Ｖの内側を通過する。そして、図１、図３および図４に示したように、折り曲げ部４は、表面化粧部１の長手方向の端部１bで裏面側へ折り曲げられ、対向する係止部２３の間に折り畳まれ、表面化粧部１の裏面と重なった状態となる。したがって、係止部２３と折り曲げ部４とは上下（外壁用役物Ｓの厚さ方向）に重なり合っていない。表面化粧部１と係止部２３、および表面化粧部１と折り曲げ部４がそれぞれ重なっており、金属板が２枚重ねの状態となっている。
【００２６】
図３および図４に示したように、係止部２３と折り曲げ部４は、外壁用役物Ｓの厚さ方向にずれており、係止部２３と折り曲げ部４の間には連結用隙間Ｑが形成されている。連結用隙間Ｑの間隔ｈは、外壁用役物Ｓを構成する材料としての金属板一枚の厚さと略等しく形成されている。
【００２７】
図５は、図１のＣ−Ｃ’矢視断面図である。図１、図５を用いて連結片について説明する。
【００２８】
連結片５は、折り曲げ部４と対向する表面化粧部１の長手方向の端部１bから、表面化粧部１の長手方向に突出している。連結片５は、表面化粧部１の短手方向に幅広に形成されている。連結片５の突出長さは、折り曲げ部４の長さＬ１（図２に図示）と略等しく形成されている。連結片５の幅は、表面化粧部の１の幅よりもやや短く形成されている。連結片５は、幅方向の両側が先端側へ向かって内側へカットされており、連結用隙間Ｑに連結片５を挿入しやすく形成されている。
【００２９】
連結片５が設けられている側の折り返し片２の長手方向の端部には、短手方向の両側付近に、表面化粧部１の長手方向の端部側へ向かって斜めに向かう切り込み部５１が設けられている。切り込み部５１は、連結片５よりも裏面側へ一段高く形成されている。
【００３０】
図６は、図１に示した本発明の外壁用役物を２つ連結した状態を例示した裏面斜視図である。図７は、図６のＤ−Ｄ’矢視断面図である。図１と共通する部分には同一の符号を付している。
【００３１】
外壁用役物Ｓ１の連結片５は、外壁用役物Ｓ２の連結用隙間Ｑに挿入されている。これによって、隣接する外壁用役物Ｓ１、Ｓ２が連結されている。切欠部Ｖは、折り返し片２の長手方向の中央側から端部側へ向かって切欠幅が広がっているため、連結片５の表面部５aの先端を折り曲げ部４に当接させた後、容易に連結片５を連結用隙間Ｑに押し込むことができる。
【００３２】
連結させた外壁用役物Ｓ１、Ｓ２は、外壁用役物Ｓ２の表面化粧部１の長手方向の端部１bと、外壁用役物Ｓ１の連結片５と隣接する表面化粧部１の長手方向の端部１bとが近接し、対峙している。また、連結した外壁用役物Ｓ１、Ｓ２の裏面では、外壁用役物Ｓ２の折り返し片２の係止部２３の先端と、外壁用役物Ｓ１の切り込み部５１の先端が近接し、対峙している。外壁用役物Ｓ１、Ｓ２の脚部３は、略同じ高さとなっている。外壁用役物Ｓ１の表面化粧部１の柄部Ｙ１と、外壁用役物Ｓ２の表面化粧部１の柄部Ｙ１は、違和感なく長手方向に連続配置され、見栄えが良好となっている。
【００３３】
連結用隙間Ｑに挿入された連結片５は、連結片５の表面部５aが折り曲げ部４と当接し、連結片５の裏面部５bの幅方向の両端が係止部２３と当接している。外壁用役物Ｓ２の連結用隙間Ｑの間隔hは、金属板一枚の厚さと略等しく形成されているため、連結用隙間Ｑに挿入された連結片５は折り曲げ部４と係止部２３とによって確実に挟持されている。
【００３４】
また、外壁用役物Ｓ２の係止部２３と折り曲げ部４とは、上下（外壁用役物の厚さ方向）に重なり合っていない。このため、外壁用役物Ｓ２の連結用隙間Ｑに外壁用役物Ｓ１の連結片５を挿入しても、金属板の重なりが少なく、施工後の外壁用役物Ｓ１、Ｓ２の連結部（連結用隙間Ｑ、連結片５）付近の浮き上がりが抑制されている。
【００３５】
図８は、本発明の外壁用役物の別の実施形態を例示した裏面斜視図である。図１で示した形態と共通する部分には同一の符号を付し、以下では説明を一部省略する。
【００３６】
外壁用役物Ｓの折り返し片２の長手方向の端部には曲線状の切欠部Ｖが設けられている。切欠部Ｖは、折り返し片２の長手方向の中央側から端部側へ向かって切欠幅（折り返し片２の短手方向の切欠長さ）が大きくなっている。切欠部Ｖによって、折り返し片２の長手方向の端部は、短手方向と略平行な第１の切込端縁２aと、第１の切込端縁２aから長手方向の端部側へ斜めにカーブする第２の切込端縁２bとが形成されている。切欠部Ｖの両側（短手方向側）には、短手方向に対向する一対の係止部２３が設けられている。係止部２３は、第２の切込端縁２３bから短手方向の端部までの領域として形成されている。係止部２３は、長手方向の端部側へ向かって幅が狭くなっている。
【００３７】
折り曲げ部４は、切欠部Ｖと相補的な形状に形成されている。具体的には、係止部２３の第１の切込端縁２aと第２の切込端縁２bの形状に対応して、折り曲げ部４の先端の幅方向の両側は、曲面状に形成されている。したがって、折り曲げ部４は、対向する係止部２３の間に折り畳まれた状態となっている。係止部２３と折り曲げ部４とは上下（外壁用役物Ｓの厚さ方向）に重なり合っていないため、連結用隙間Ｑに外壁用役物Ｓ１の連結片５を挿入しても金属板の重なりが少なく、施工後の外壁用役物Ｓの連結部付近の浮き上がりが抑制される。この形態においても、折り曲げ部４と対向する他端の連結片５は、図１に示した連結片５と同様のものを採用することができる。
【００３８】
図９は、本発明の外壁用役物を隣接する外壁材の間の目地に取り付けた状態を例示した断面概要図である。外壁用役物について、図１等に示した形態と共通する部分には同一の符号を付し、以下では説明を省略する。
【００３９】
外壁下地Ｈに外壁材として金属サイディング６が取り付けられている。金属サイディング６同士の間の目地Ｍの外壁下地Ｈ側にベース材７が配置されている。金属サイディング６の表面には、プレス加工によって縦方向に溝部Ｘ２と柄部Ｙ２とが連続しており、外壁用役物Ｓと同様の凹凸柄が付与されている。
【００４０】
ベース材７は、基板部７１と、この基板部７１から突出する嵌合片７２とを備えている。基板部７１は、長尺な板状に形成されている。基板部７１の幅（短手方向長さ）は、施工後の外装材同士の間の目地の幅よりも大きく形成されている。
【００４１】
嵌合片７２は、基板部７１の短手方向の中央付近から、長手方向全長に亘って基板部７１に対して略直角方向に突出し、所定の間隔で互いに対向配置されている。嵌合片７２の先端には内側へ突出する爪部７３が設けられている。左右の嵌合片７２は、長さが略等しく、形状は基板部７１の中央を中心に左右対称に形成されている。
【００４２】
ベース材７が配置された目地Ｍに外壁用役物Ｓを挿入すると、ベース材７の嵌合片７２の先端の爪部７３と、外壁用役物Ｓの脚部３の先端の嵌合片３１とが嵌合する。これによって、外壁用役物Ｓの表面化粧部１が目地Ｍを外側から覆うことができる。外壁用役物Ｓの折り返し片２の隆起部２１は、金属サイディング６の溝部Ｘ２と対峙している。表面側では、外壁用役物Ｓの溝部Ｘ１と金属サイディング６の溝部Ｘ２が一致し、外壁用役物Ｓの柄部Ｙ１と金属サイディング６の柄部Ｙ２が一致している。したがって、金属サイディング６の間の目地Ｍが外壁用役物Ｓによって違和感なく覆われている。
【００４３】
本発明は、以上の実施形態に限定されることはない。例えば、表面化粧部の凹凸柄は適宜設計することができる。もちろん表面化粧部の凹凸柄を省略することもできる。また、折り曲げ部や係止部、連結片等の形状等は、連結安定性や作業の容易性を考慮して適宜設計することができる。
【符号の説明】
【００４４】
１    表面化粧部
２    折り返し片
２３  係止部
３    脚部
４    折り曲げ部
５    連結片
Ｓ    外壁用役物
Ｑ    連結用隙間
Ｖ    切欠部
【図１】
0005654896.tif 000002
【図２】
0005654896.tif 000003
【図３】
0005654896.tif 000004
【図４】
0005654896.tif 000005
【図５】
0005654896.tif 000006
【図６】
0005654896.tif 000007
【図７】
0005654896.tif 000008
【図８】
0005654896.tif 000009
【図９】
0005654896.tif 000010
【図１０】
0005654896.tif 000011
【図１１】
0005654896.tif 000012